(57)【要約】【課題】校正用電源と校正用放電装置とを用いることなく、電源チャンネルと放電チャンネルが絶縁状態を保てるチャンネル構成として、安価な充放電装置と自動校正システムを両立した多チャンネル電池充放電試験装置を提供する事を目的とする。【解決手段】互いに絶縁され、アース側にシャント抵抗を備えた少なくとも二つのチャンネルを備える多チャンネル電池充放電試験装置であって、一方を充電モードとし他方を放電モードとして前記二つのチャンネルの出力端同士を接続して校正する多チャンネル電池充放電試験装置とする。【選択図】図１
2014081243.tif 000002
【特許請求の範囲】
【請求項１】
互いに絶縁され、アース側にシャント抵抗を備えた少なくとも二つのチャンネルを備える多チャンネル電池充放電試験装置において、
一方を充電モードとし他方を放電モードとして前記二つのチャンネルの出力端同士を接続して校正する
ことを特徴とする多チャンネル電池充放電試験装置。
【請求項２】
請求項１に記載の多チャンネル電池充放電試験装置において、
前記充電モードとするチャンネルは、各出力端が並列接続とされた少なくとも二つのチャンネルで構成される
ことを特徴とする多チャンネル電池充放電試験装置。
【請求項３】
請求項１に記載の多チャンネル電池充放電試験装置において、
前記放電モードとするチャンネルは、各出力端が並列接続とされた少なくとも二つのチャンネルで構成される
ことを特徴とする多チャンネル電池充放電試験装置。
【請求項４】
互いに絶縁され、アース側にシャント抵抗を備えた少なくとも二つのチャンネル群を備える多チャンネル電池充放電試験装置において、
一方のチャンネル群のなかの一つのチャンネルを充電モードとし他方のチャンネル群のなかの一つのチャンネルを放電モードとして、前記充電モードと前記放電モードとのチャンネルの出力端同士を順次接続して校正する
ことを特徴とする多チャンネル電池充放電試験装置。
【請求項５】
互いに絶縁され、アース側にシャント抵抗を備えた少なくとも二つのチャンネルを備えた多チャンネル電池充放電試験装置の校正方法において、
一方を充電モードとし他方を放電モードとして前記二つのチャンネルの出力端同士を接続して校正する工程を有する
ことを特徴とする多チャンネル電池充放電試験装置の校正方法。
【請求項６】
請求項５に記載の多チャンネル電池充放電試験装置の校正方法において、
前記充電モードとするチャンネルは、出力端が並列接続とされた少なくとも二つのチャンネルで構成される
ことを特徴とする多チャンネル電池充放電試験装置の校正方法。
【請求項７】
請求項５に記載の多チャンネル電池充放電試験装置の校正方法において、
前記放電モードとするチャンネルは、出力端が並列接続とされた少なくとも二つのチャンネルで構成される
ことを特徴とする多チャンネル電池充放電試験装置の校正方法。
【請求項８】
互いに絶縁され、アース側にシャント抵抗を備えた少なくとも二つのチャンネル群を備える多チャンネル電池充放電試験装置の校正方法において、
一方のチャンネル群のなかの一つのチャンネルを充電モードとし他方のチャンネル群のなかの一つのチャンネルを放電モードとして、前記充電モードと前記放電モードとのチャンネルの出力端同士を順次接続して校正する工程を有する
ことを特徴とする多チャンネル電池充放電試験装置の校正方法。
【発明の詳細な説明】
【技術分野】
【０００１】
本発明は、アース側にシャント抵抗を挿入し、校正用の電源として他の充放電試験チャンネルを使用することで、同相電圧の電圧影響を受けず低価格で高精度な多チャンネル電池充放電試験装置の校正方法等に関する。
【背景技術】
【０００２】
下記特許文献１には、電池、コンデンサ等の試料の充電または放電の過程における特性の確認あるいは評価のために、その試料の端子電圧を計測する電圧検出装置と、その電圧検出装置が複数個備えられて構成された試験装置とに関する発明が記載されている。
【０００３】
またこの発明は、充放電の過程における全ての試料の端子電圧を安価に精度よく検出できることを目的とし、電荷を蓄積可能な素子に対し、導線を介して行われる充電を間欠的に阻止する断続手段を設けることが記載されている。
【０００４】
また、断続手段によって充電が阻止されている期間に、充電を行う電源の出力端の電圧の計測を行い、計測の結果を素子の特性の確認の基準とする計測手段とを備えて構成される電圧検出装置の構成が開示されている。
【０００５】
図７に示す特許文献１の従来例においては、電圧検出部１０−１〜１０−Ｎと、試験制御部１２とを備え、試験制御部１２の第１ないし第Ｎの制御用出力が電圧検出部１０−１〜１０−Ｎの制御入力にそれぞれ接続されている。また、電圧検出部１０−１は充電回路１１−１を備え、充電回路１１−１の出力にＡ／Ｄ変換器３５−１の入力が接続される。
【０００６】
また、下記特許文献２には、高精度かつ安定に校正可能な充放電検査装置を提供することを目的とする発明であって、検査対象の２次電池１を充放電し、標準抵抗器３０は、校正プロセスにおいて、コネクタ１０に２次電池に代えて装着される構成例が図８に示されている。
【０００７】
また、校正プロセスにおいて計測器３２は、標準抵抗器３０の電圧降下にもとづき、標準抵抗器３０に流れる電流を示す電流校正値Ｓ４を生成する。
【０００８】
また、校正プロセスにおいて校正制御回路３４は、電流設定値Ｓ２を複数の値で切りかえ、各電流設定値Ｓ２ごとに、それに対応する電流校正値Ｓ４を取得し、校正用パラメータＳ３を演算する。
【０００９】
また、校正制御回路３４は、電流設定値Ｓ２の各値および電流設定値Ｓ２を切りかえてから電流校正値Ｓ４を取得するまでの通電時間が、プログラマブルに構成されることを可能とする充放電検査システム４の技術思想が開示されている。
【先行技術文献】
【特許文献】
【００１０】
【特許文献１】特開２００７−２２５４２４号公報
【特許文献２】特開２０１２−０８３２６３号公報
【発明の概要】
【発明が解決しようとする課題】
【００１１】
従来、高精度な充放電試験を維持し試験遂行するためには、定期的な動作確認と校正が必要であり、電池充放電試験装置とは別個に、校正用電源や校正用放電装置が、必要となっていた。また、校正用電源と校正用放電装置とは校正時に発熱することから、発熱に伴う追加的な放熱対策も必要となっていた。
【００１２】
本発明は、上述の問題点に鑑みなされたものであり、校正用電源や校正用放電装置を用いることなく校正用電源として充電チャンネルを使用し、校正用放電装置として放電チャンネルを使用する。また、当該充電チャンネル（充電ＣＨ）と当該放電チャンネル（放電ＣＨ）とが絶縁状態を保てるチャンネル（ＣＨ）構成とする。これにより、安価な充放電装置と自動校正システムを両立したシステム等を提供する事を目的とする。
【課題を解決するための手段】
【００１３】
本発明の多チャンネル電池充放電試験装置は、互いに絶縁され、アース側にシャント抵抗を備えた少なくとも二つのチャンネルを備える多チャンネル電池充放電試験装置であって、一方を充電モードとし他方を放電モードとして前記二つのチャンネルの出力端同士を接続して校正することを特徴とする。
【００１４】
また、本発明の多チャンネル電池充放電試験装置は、互いに絶縁され、アース側にシャント抵抗を備えた少なくとも二つのチャンネル群を備える多チャンネル電池充放電試験装置であって、一方のチャンネル群のなかの一つのチャンネルを充電モードとし他方のチャンネル群のなかの一つのチャンネルを放電モードとして、充電モードと放電モードとのチャンネルの出力端同士を順次接続して校正することを特徴とする。
【００１５】
また、本発明の多チャンネル電池充放電試験装置の校正方法は、互いに絶縁され、アース側にシャント抵抗を備えた少なくとも二つのチャンネルを備えた多チャンネル電池充放電試験装置の校正方法であって、一方を充電モードとし他方を放電モードとして二つのチャンネルの出力端同士を接続して校正する工程を有することを特徴とする。
【００１６】
本発明の多チャンネル電池充放電試験装置の校正方法は、互いに絶縁され、アース側にシャント抵抗を備えた少なくとも二つのチャンネル群を備える多チャンネル電池充放電試験装置の校正方法であって、一方のチャンネル群のなかの一つのチャンネルを充電モードとし他方のチャンネル群のなかの一つのチャンネルを放電モードとして、充電モードと放電モードとのチャンネルの出力端同士を順次接続して校正する工程を有することを特徴とする。
【発明の効果】
【００１７】
校正用電源や校正用放電装置を用いることなく、校正時に電源ＣＨ（電源チャンネル）と放電ＣＨ（放電チャンネル）が絶縁状態を保てるＣＨ（チャンネル）構成とし、安価な多チャンネル電池充放電試験装置とその自動校正を両立したシステム等を提供できる。
【図面の簡単な説明】
【００１８】
【図１】（ａ）は補助電源に対してアース側が共通接続とされた非絶縁タイプの多チャンネル充放電装置の２チャンネル分について、一方を充電モードとし他方を放電モードとして出力端子を互いに接続した状態を説明する図であり、（ｂ）は補助電源に対してアース側が非共通接続とされた絶縁タイプの多チャンネル充放電装置の２チャンネル分について、一方を充電モードとし他方を放電モードとして出力端子を互いに接続した状態を説明する図である。
【図２】非絶縁タイプの５チャンネルを二セット備える本実施形態の多チャンネル電池充放電試験装置の構成概要を説明する図である。
【図３】図２に示す多チャンネル電池充放電試験装置のＣＨ１とＣＨ２との構成の一部をより詳細に説明する図である。
【図４】（ａ）は上述した多チャンネル電池充放電試験装置のＣＨ１とＣＨ６との出力端子について、プラス側端子同士とマイナス側端子同士とを互いに接続し、ＣＨ１を放電モードとしＣＨ６を充電モードとした校正モードを説明する図であり、（ｂ）は上述した多チャンネル電池充放電試験装置のＣＨ１とＣＨ６との出力端子について、プラス側端子同士とマイナス側端子同士とを互いに接続し、ＣＨ１を充電モードとしＣＨ６を放電モードとした校正モードを説明する図である。
【図５】（ａ）が放電モードとされたＣＨ１に対し、充電モードとされたＣＨ６とＣＨ７との二つのチャンネルから電流を供給する校正モードの回路構成例について説明する図であり、（ｂ）が充電モードとされたＣＨ１に対し、放電モードとされたＣＨ６とＣＨ７との二つのチャンネルへ電流を供給する校正モードの回路構成例について説明する図である。
【図６】多チャンネル電池充放電試験装置の典型的な校正動作について説明するフローチャートである。
【図７】試料の充放電の過程における特性の評価のためにその試料の端子電圧を計測する従来の電圧検出装置を説明する図である。
【図８】高精度かつ安定に校正可能な従来の充放電検査装置を説明する図である。
【発明を実施するための形態】
【００１９】
電池は携帯電話などのコンシューマから電気自動車やハイブリッド車などにまで幅広く用いられる重要なキーパーツである。従って、電池性能を確保するために電気的に正確に電池の充放電試験をする事は、製品保証上必須事項であり、特に最近はリチウムイオンなど電池の高性能化に伴いさらに高精度な電池充放電試験が要求されている。
【００２０】
このような高精度な電池充放電試験を遂行するためには、定期的な動作確認と校正が必要であり、通常、校正用電源と校正用放電装置が電池充放電試験装置とは別に必要となる。
【００２１】
本発明は校正用電源及び校正用放電装置を必要としない校正方法を提案するものであり、例えば絶縁しない（典型的にはアースが共通）試験回路を少なくとも２回路以上保有し、他に少なくとも１ＣＨ以上の前者とは絶縁された（典型的にはアースが共通でない）試験装置の校正方法に関する。
【００２２】
また、電池コストは安価にする必要があり、電池試験装置も低価格が強く求められている。特に、電気自動車やハイブリッド車などでは現在の１／１０の価格にするよう強い要請がある。
【００２３】
また、電池の量産試験は１０個以上をまとめてパレットと呼ばれる箱状のケースに収納してパレット毎に充放電試験が行われることも多い。
【００２４】
この電池パレットは自動搬送装置により搬送され、所定の自動接続がされて自動試験が行われているため、自動校正装置パレットも電池パレットと同一形状で電池電極と同一位置に電極を配置すれば自動搬送が可能となる。
【００２５】
また、自動校正装置パレットからレーザー読みとり装置で読み取り、自動校正装置と判断し、適切な棚への着脱が可能となり、校正すべき電圧値や電流値などのデータは、無線通信などが可能で完全自動の校正システムを構築可能である。
【００２６】
従来は、電池を個別に絶縁した充放電装置を使用していたが低価格とするため、現在は絶縁しないで電源部など集中させ低価格化を図った充放電装置を用いている。このため、電源を１個化すると、負極または正極が共通となり、シャント抵抗に電流が流れず、図１（ａ）に示すように充放電装置内のＣＨ同士を接続して利用することができない。
【００２７】
充電モードとするチャンネルと放電モードとするチャンネルとの間を絶縁された回路構成とすれば、上述の問題は解決する。すなわち、図１（ｂ）に示すように充放電の校正時はＣＨ１を電源に設定しＣＨ２を放電モードとし、ＣＨ１の電圧設定精度の確認をしてＣＨ２を放電とし電流精度の確認を行う。次に、ＣＨ２を電源に設定しＣＨ１を放電モードとしＣＨ１の電圧設定精度の確認をしてＣＨ２を放電とし電流精度の確認を行う。これをＣＨ３とＣＨ４の組合せ、次にＣＨ５とＣＨ６の組合せと順次行えば、外部に別の電源や放電装置は不要となり小型化が可能で電池パレット内に収納可能で安価となる。
【００２８】
また、パレット内に別途の放電装置を組み込むと、組み込んだ放電装置が発熱することとなり、これを冷却するための冷却装置や冷却処理が追加的に必要となる。
【００２９】
また、電流の検出として絶縁された例えばホール素子などの電流センサーを使用すれば問題はないが、安価に電流を計測するために例えばアース側配線に直列接続された非絶縁のシャント抵抗を用いる事が多い。シャント抵抗を用いる場合に正極側にシャント抵抗を配置すればアースが共通でも問題はないが、差動アンプなどでシャントの両端電圧を計測することが必要となる。
【００３０】
ここで、シャント抵抗の電圧降下は電力ロスとなるため通常５０ｍＶ程度以下の微小電圧に抑えられる一方、電池電圧はそれよりもはるかに大きいだけではなく、例えばリチウムイオン電池では１Ｖから４．２Ｖなど大幅に電圧変動する。
【００３１】
しかし、シャント抵抗電圧が微小である事から、差動アンプでは大幅な電圧変動に対する同相電圧の除去をゼロとする事は極めて困難でコストがかかり、同相電圧の除去ができない相当分が電流検出誤差となる欠点を有する。
【００３２】
本発明は、アース側にシャント抵抗を挿入し同相電圧の電圧影響を受けず低価格で高精度な電池充放電試験装置の校正方法を提供する事を可能とする。また、絶縁しない試験回路を少なくとも２回路以上保有し、他に少なくとも１ＣＨ以上の前者とは絶縁された試験装置の校正方法としてもよい。
【００３３】
また、電源ＣＨと放電ＣＨが絶縁状態を保てるＣＨ構成として安価な充放電装置と自動校正システムを両立したシステムを提供することができる。
【００３４】
このため、本発明は、電池の電気特性を試験するための少なくても２ＣＨ以上の非絶縁充放電ＣＨと絶縁された前者とは別の１ＣＨ以上を有する電池充放電試験装置の校正方法とすることが好ましい。
【００３５】
また、電池の電気特性を試験するための少なくとも２ＣＨ以上の非絶縁充放電ＣＨと絶縁された前者とは別の１ＣＨ以上を有する電池充放電試験装置において、絶縁された一対のＣＨの正極と負極のみを接続することができる。そして、一方を電圧源（すなわち充電モード）とし他方を放電モードとして電圧及び電流校正する校正方法とすることが好ましい。
【００３６】
（実施例）
また、発明の実施例として図２のように５ＣＨの非絶縁充放電部と、当該５ＣＨとは絶縁された他の５ＣＨの非絶縁充放電部を一組とする計１０ＣＨ電池充放電試験装置の校正モードと校正手順の一例について説明する。なお、この装置においては、１０個の電池を一つのパレットとする電池充放電試験が可能である。
【００３７】
例えば、ＣＨ１を電圧源に設定しＣＨ６を電流設定し、ＣＨ１の電圧設定値と測定値及びＣＨ６の電流設定値と測定値から充放電装置の電子ボリウムなどを調整して校正を行う。また、双方のモードを反転させ同様に校正を行う。これをＣＨ６と１０迄行うことで自動校正が完了することができる。
【００３８】
図１（ａ）は、補助電源１０５０に対してアース側が共通接続とされた非絶縁タイプの多チャンネル充放電装置１０００の２チャンネル分について、一方を充電モードとし他方を放電モードとして出力端子１８００を互いに接続した状態を説明する図である。
【００３９】
また、図１（ｂ）は、補助電源１０５０に対してアース側が非共通接続とされた絶縁タイプの多チャンネル充放電装置の２チャンネル分について、一方を充電モードとし他方を放電モードとして出力端子１８００を互いに接続した状態を説明する図である。
【００４０】
図１（ａ）に示すように、充電モードとされたＣＨ１のプラス側出力端子と放電モードとされたＣＨ２のプラス側端子とを短絡し、充電モードとされたＣＨ１のマイナス側出力端子と放電モードとされたＣＨ２のマイナス側端子とを短絡する。
【００４１】
図１（ａ）に示す例では補助電源が単一で共通のアース接続とされているので、この場合に図１（ａ）に矢印で示すような電流が流れることとなる。この場合には、ＣＨ１のシャント抵抗１０１０とＣＨ２のシャント抵抗１０２０のいずれにも電流は流れないことから、ＣＨ１もＣＨ２もいずれも各チャンネル独自の電流測定ができず、校正を遂行することはできない。各チャンネルは、自身のシャント抵抗を用いて電流値を測定するものとする。
【００４２】
一方、図１（ｂ）に示す例では、ＣＨ１とＣＨ２とのアース側が共通接続とされておらず絶縁されている。このため、充電モードとされたＣＨ１のプラス側出力端子と放電モードとされたＣＨ２のプラス側端子とを短絡し、充電モードとされたＣＨ１のマイナス側出力端子と放電モードとされたＣＨ２のマイナス側端子とを短絡すれば、矢印の向きに電流が流れる。
【００４３】
この場合には、ＣＨ１のシャント抵抗１０３０とＣＨ２のシャント抵抗１０４０とのいずれにも電流が流れる。従って、ＣＨ１のシャント抵抗１０３０とＣＨ２のシャント抵抗１０４０とを用いて電池充放電試験装置のＣＨ１とＣＨ２とが各々測定した電流値と、校正用の正確な電流計で測定した電流値とを比較することにより、電池充放電試験装置のＣＨ１または／およびＣＨ２を校正することが可能となる。また、校正用の電流計は、マイナス側出力端同士を短絡接続した配線上に配置することができる。
【００４４】
また、図２は、アース側が共通で非絶縁とされた５チャンネルを二セット備える本実施形態の多チャンネル電池充放電試験装置２０００の構成概要を説明する図である。図２に示すように、ＣＨ１からＣＨ５は共通の補助電源２５００を用いて共通アース接続とされており、ＣＨ６〜ＣＨ１０は共通の他の補助電源２６００を用いて共通アース接続とされている。
【００４５】
また、ＣＨ１〜ＣＨ５のチャンネル群と、ＣＨ６〜ＣＨ１０のチャンネル群とは、各々別個独立の互いに絶縁されたアース接続として構成される。
【００４６】
典型例として図２に示すように、ＣＨ１とＣＨ６とのプラス側出力端子同士をプラス側接続線２３００で接続する。また、ＣＨ１とＣＨ６とのマイナス側出力端子同士をマイナス側接続線２４００で接続する。また、図２において、ＣＨ１が二次電池を放電させる放電モードであり、ＣＨ６が二次電池を充電させる充電モードであるものとする。
【００４７】
これにより、充電モードとされたＣＨ６から、放電モードとされたＣＨ１へと電力が供給される。すなわち、ＣＨ１はあたかも二次電池の放電電流を受け入れるかのようにＣＨ６からの電流を受け入れ、一方でＣＨ６はあたかも二次電池に充電するかのようにＣＨ１に対して電力を供給する。
【００４８】
そして、校正対象であるＣＨ１のプラス側端子とマイナス側端子とに電圧測定部２２００を接続し、ＣＨ１の出力端子間の正確な電圧値を測定するとともに、マイナス側接続線２４００上に設けられた電流測定部２１００で正確な電流値を測定する。
【００４９】
電圧測定部２２００で測定された電圧値と電流測定部２１００で測定された電流値とは、ＣＨ１の内部でモニターされる電圧値と電流値と各々比較し、ずれがある場合にはＣＨ１の内部でモニターされる値を正確な値へと調整して校正する。図２は上述の校正モードを説明するものであり、校正モードの配線構成は図２に示す複数のスイッチ切り替えにより可能であることから、不図示のスイッチ切り替え制御部を備えていてもよい。
【００５０】
次に、電圧測定部２２００の接続先をＣＨ６のプラス側端子とマイナス側端子とに切り替え、ＣＨ６の出力端子間の正確な電圧値を測定するとともに、マイナス側接続線２４００上に設けられた電流測定部２１００で流れる正確な電流値を測定する。
【００５１】
電圧測定部２２００で測定された電圧値と電流測定部２１００で測定された電流値とは、ＣＨ６の内部でモニターされる電圧値と電流値と各々比較し、ずれがある場合にはＣＨ６の内部でモニターされる値を正確な値へと調整して校正する。
【００５２】
さらに、各ＣＨの充放電モードを逆に入れ替えて、ＣＨ１を充電モードとしてＣＨ６を放電モードとして上記同様に校正してもよい。各チャンネルに対して放電モード時と充電モード時とのそれぞれについて校正することが好ましいとの観点からは、各チャンネルの充放電モードを逆にした校正も遂行することが好ましい。
【００５３】
また、ＣＨ１とＣＨ６とのペアによる校正が終了すれば、ＣＨ２とＣＨ７とペアによる校正、ＣＨ３とＣＨ８とのペアによる校正、・・、ＣＨ５とＣＨ１０とのペアによる校正と、すべてのチャンネルＣＨ１〜ＣＨ１０までの校正を順次遂行することが可能である。
【００５４】
なお、図２においては、計１０ＣＨの多チャンネル電池充放電試験装置２０００を例示的に説明しているが、これに限定されるものではなく、各チャンネル群内に設けるチャンネル数やチャンネル群の数は任意である。
【００５５】
図３は、図２に示す多チャンネル電池充放電試験装置２０００のＣＨ１とＣＨ２との構成の一部３０００をより詳細に説明する図である。図３に示すようにＣＨ１とＣＨ２とは、共通の補助電源２５００のアース側に共通の非絶縁アース線を備え、各々ＣＨ内部での電流モニター用としてシャント抵抗３１００とシャント抵抗３２００とを備える。
【００５６】
また、各チャンネルＣＨ１とＣＨ２とは各々、個別に充電モードと放電モードとを切り替え可能なスイッチ３６００，３７００を備える。スイッチ３６００，３７００を充電モードとした場合には、補助電源２５００の電力が出力端子３８００に供給される。一方、スイッチ３６００，３７００を放電モードとした場合には、出力端子３８００から入力される電流を受け入れることができる。図３においては、二次電池等から受け入れた放電電力を回生する構成として示していないが、各ＣＨが不図示の回生装置を備えていてもよい。また、図３においてはＣＨ１とＣＨ２とのみを説明しているが、ＣＨ３〜ＣＨ５においても同様の構成である。
【００５７】
上述したようにアースが共通とされて非絶縁状態のＣＨ１からＣＨ５の相互間においては、出力端子をプラス側同士とマイナス側同士とで互いに接続したとしても、校正作業を遂行することはできない。しかし図２に示すように、ＣＨ１からＣＨ５のいずれか一つのチャンネルと、ＣＨ６〜ＣＨ１０のいずれか一つのチャンネルと、の間においては、出力端子をプラス側同士とマイナス側同士とで互いに接続することにより、校正作業を遂行することができる。
【００５８】
すなわち、ＣＨ１乃至ＣＨ５と、ＣＨ６乃至ＣＨ１０との間は、アース線が電気的に接続されておらずかつ補助電源も別個に備えて二つのチャンネル群が絶縁状態とされていることから、異なる群相互間におけるチャンネルを互いに接続することで、シャント抵抗に電流経路が形成され構成可能となる。
【００５９】
図４（ａ）は上述した多チャンネル電池充放電試験装置２０００のＣＨ１（４３００）とＣＨ６（４４００）との出力端子について、プラス側端子同士とマイナス側端子同士とを互いに接続し、ＣＨ１（４３００）を放電モードとしＣＨ６（４４００）を充電モードとした校正モードを説明する図である。
【００６０】
また、図４（ｂ）は上述した多チャンネル電池充放電試験装置２０００のＣＨ１（４３００）とＣＨ６（４４００）との出力端子について、プラス側端子同士とマイナス側端子同士とを互いに接続し、ＣＨ１（４３００）を充電モードとしＣＨ６（４４００）を放電モードとした校正モードを説明する図である。
【００６１】
図４（ａ）に示すように、放電モードとしたＣＨ１（４３００）の出力端子間には電圧測定部４２００が接続される。また、マイナス側同士を接続するマイナス側接続線２４００には電流測定部４１００が配置される。電圧測定部４２００で測定された電圧値と電流測定部４１００で測定された電流値とは、各々正確な測定値としてＣＨ１（４３００）の内部計測値に対する校正用リファレンスとなる。
【００６２】
また、図４（ｂ）に示すように、放電モードとしたＣＨ６（４４００）の出力端には電圧測定部４２００が接続される。また、マイナス側同士を接続するマイナス側接続線２４００には電流測定部４１００が配置される。電圧測定部４２００で測定された電圧値と電流測定部４１００で測定された電流値とは、正確な測定値としてＣＨ６（４４００）の内部計測値に対する校正用リファレンスとなる。
【００６３】
なお、電圧測定部４２００は、校正対象となるチャンネルの出力端子間に設けることにより、接続線に起因する電圧降下の影響を考慮する必要がなく、正確なキャリブレーションが可能となるので好ましい。
【００６４】
また、図４（ａ），（ｂ）に示すように、放電モードとされて電流を受け入れる側のチャンネルが校正されることが好ましい。しかし、これに限定されるものではなく、例えば図４（ａ）の場合にＣＨ６（４４００）の出力端子間にも電圧測定部を追加的に設け、ＣＨ６（４４００）の校正も同時に遂行してもよい。また、例えば図４（ｂ）の場合にＣＨ１（４３００）の出力端子間にも電圧測定部を追加的に設け、ＣＨ１（４３００）の校正も同時に遂行してもよい。
【００６５】
また、図５（ａ）は、放電モードとされたＣＨ１（５３００）に対し、充電モードとされたＣＨ６（５４００）とＣＨ７（５５００）との二つのチャンネルから電流を供給する校正モードの回路接続構成例について説明する図である。また、図５（ｂ）は充電モードとされたＣＨ１（５６００）に対し、放電モードとされたＣＨ６（５７００）とＣＨ７（５８００）との二つのチャンネルへ電流を供給する校正モードの回路構成例について説明する図である。
【００６６】
図５（ａ）に示すように、充電モードとされたＣＨ６（５４００）とＣＨ７（５５００）とを並列接続とすることにより、ＣＨ６（５４００）から供給する電流ｉ１とＣＨ７（５５００）から供給する電流ｉ２との和である電流ｉ（ｉ＝ｉ１＋ｉ２）を、放電電流としてＣＨ１（５３００）に供給できる。仮に、電流ｉ１＝電流ｉ２であるとすれば、一つのチャンネルから供給する電流の２倍の電流ｉを、放電電流としてＣＨ１（５３００）に供給し、この電流値における校正を遂行することが可能となる。また、図５（ｂ）に示すように、放電モードとされたＣＨ６（５７００）とＣＨ７（５８００）とを並列接続とすることにより、ＣＨ６（５７００）へ供給する電流ｉ１とＣＨ７（５８００）へ供給する電流ｉ２との和である電流ｉ（ｉ＝ｉ１＋ｉ２）を、充電電流としてＣＨ１（５６００）から供給できる。仮に、電流ｉ１＝電流ｉ２であるとすれば、一つのチャンネルへ供給する電流の２倍の電流ｉを、充電電流としてＣＨ１（５６００）から供給し、この電流値における校正を遂行することが可能となる。
【００６７】
図５から理解できるように、校正されるＣＨ１（５３００，５６００）の出力端には電圧測定部５２００が配され、そのアース接続線には電流測定部５１００が配されて、それぞれの測定値が、ＣＨ１（５３００，５６００）の校正のためのリファレンス値となる。図５（ａ）においては、二つのチャンネルから電流を供給する校正モードの回路構成例を説明したが、これに限定されるものではなく充電モードとされた二つ以上の任意の数のチャンネルから電流を供給してもよい。これにより、さらに大電流の条件下における校正が可能となる。また、図５（ｂ）においては、二つのチャンネルへ電流を供給する校正モードの回路構成例を説明したが、これに限定されるものではなく充電モードとされた二つ以上の任意の数のチャンネルへ電流を供給してもよい。これにより、さらに大電流の条件下における校正が可能となる。
【００６８】
図６は、多チャンネル電池充放電試験装置２０００の典型的な校正動作について説明するフローチャートである。そこで、図６に示す各ステップに基づいて、多チャンネル電池充放電試験装置２０００の校正動作例について順次説明する。なお、図６においてはＣＨ１を校正する場合を説明しているが、他のチャンネルを校正する場合も同様でありこれに限定されるものではない。
【００６９】
（ステップＳ６１０）
多チャンネル電池充放電試験装置２０００のＣＨ１の校正を実施する場合には、ステップＳ６２０へと進む。多チャンネル電池充放電試験装置２０００のＣＨ１の校正を実施しない場合には、ステップＳ６１０で待機する。
【００７０】
（ステップＳ６２０）
ＣＨ１を放電モードに設定する。またＣＨ６〜ＣＨ１０のうちいずれか一つを充電モードに設定する。ここでは、ＣＨ６を充電モードに設定するものとして以下に説明を続ける。
【００７１】
（ステップＳ６３０）
ＣＨ１のプラス側出力端子とＣＨ６のプラス側出力端子とをプラス側接続線２３００で短絡接続し、ＣＨ１のマイナス側出力端子とＣＨ６のマイナス側出力端子とをマイナス側接続線２４００で短絡接続する。
【００７２】
ＣＨ１の±出力端子間には、リファレンス電圧を得るための電圧測定部２２００を接続する。また、マイナス側接続線２４００上にはリファレンス電流を得るための電流測定部２１００が配置されている。
【００７３】
具体的には、図２に示す複数のスイッチを操作することで、上述の回路接続が構成される。また、校正モードとするスイッチ切り替え等はプログラム動作により自動化してもよい。
【００７４】
（ステップＳ６４０）
電圧測定部２２００と電流測定部２１００とで各々測定した測定値と、ＣＨ１の内部測定値とが一致するように、ＣＨ１の内部測定値を調整して校正する。
【００７５】
上述のように、本実施例の多チャンネル電池充放電試験装置は、校正時に校正用電源や放電装置を別途に必要としないので、試験遂行前の校正時等に、多チャンネル電池充放電試験装置の試験遂行プログラムの一部として自動校正することも可能である。
【００７６】
また、自動校正する場合にスイッチ切り替え制御により校正モードとすることが可能であり、校正モードの回路接続を構築するためのスイッチ切り替え制御部を設けてもよい。
【００７７】
上述した実施例において、多チャンネル電池充放電試験装置２０００の構成及び動作について具体的に例示して説明をしたが、実施例での説明に限定されるものではなく、本発明で開示する技術思想の範囲内において、種々の構成変更や動作変更が可能である。
【産業上の利用可能性】
【００７８】
本発明で開示した多チャンネル電池充放電試験装置の構成や動作等は、校正を遂行する種々の広範な充放電試験システム等に適用できる。
【符号の説明】
【００７９】
１０００・・多チャンネル充放電装置、１０１０，１０３０・・ＣＨ１のシャント抵抗、１０２０，１０４０・・ＣＨ２のシャント抵抗、１０５０・・補助電源。
【図１】
2014081243.tif 000003
【図２】
2014081243.tif 000004
【図３】
2014081243.tif 000005
【図４】
2014081243.tif 000006
【図５】
2014081243.tif 000007
【図６】
2014081243.tif 000008
【図７】
2014081243.tif 000009
【図８】
2014081243.tif 000010